(57)【要約】【課題】調湿装置において、吸湿材に吸湿させる冷風と、吸湿材から放湿させる暖風とを、それぞれ吸湿材のうちの広範囲にわたって行き渡らせる。【解決手段】冷却器４０からの冷風は、第１通風口１６１ａから吸湿材１２を介して第３通風口２０１ａへ流れる。その一方で、加熱器４２からの暖風は、第２通風口１８１ａから吸湿材１２を介して第４通風口２２１ａへ流れる。そして、第３通風口２０１ａは、第１通風口１６１ａの開口位置から吸湿材面方向ＤＲｆへずれた位置に配置され、第４通風口２２１ａは、第２通風口１８１ａの開口位置から吸湿材面方向ＤＲｆへずれた位置に配置されている。従って、冷却器４０からの冷風と加熱器４２からの暖風とが吸湿材１２の一部分を空気流入面１２１側から空気流出面１２２側へ直線状に流れる場合と比較して、その冷風と暖風とをそれぞれ、吸湿材１２のうちの広範囲にわたって行き渡らせることが可能である。【選択図】図１
2018162950.tif 000002
【特許請求の範囲】
【請求項１】
調湿装置であって、
空気へ放湿し又は空気から吸湿し、一面（１２１）と該一面とは反対側の他面（１２２）とを有する吸湿材（１２）と、
前記吸湿材が収容された吸湿材ケース部（１４）と、
前記吸湿材の前記一面側にて前記吸湿材ケース部内へ開口した第１通風口（１６１ａ、５０１ａ）が形成された第１通風部（１６、５０）と、
前記吸湿材の前記一面側にて前記吸湿材ケース部内へ開口した第２通風口（１８１ａ、５０１ａ）が形成された第２通風部（１８、５０）と、
前記吸湿材の前記他面側にて前記吸湿材ケース部内へ開口した第３通風口（２０１ａ、５２１ａ）が形成された第３通風部（２０、５２）と、
前記吸湿材の前記他面側にて前記吸湿材ケース部内へ開口した第４通風口（２２１ａ、５２１ａ）が形成された第４通風部（２２、５２）とを備え、
前記第３通風口は、前記第１通風口の開口位置から、前記一面または前記他面に沿った面方向（ＤＲｆ）へずれた位置に配置され、
前記第４通風口は、前記第２通風口の開口位置から前記面方向へずれた位置に配置され、
前記吸湿材に吸湿させるための空気は、前記第１通風口と前記第３通風口とのうちの一方から他方へ流れ、
前記吸湿材から放湿させるための空気は、前記第２通風口と前記第４通風口とのうちの一方から他方へ流れる調湿装置。
【請求項２】
前記第２通風口（１８１ａ）は、前記第１通風口（１６１ａ）に対し前記面方向の一方側に配置され、
前記第３通風口（２０１ａ）は、前記第４通風口（２２１ａ）に対し前記面方向の前記一方側に配置されている請求項１に記載の調湿装置。
【請求項３】
前記吸湿材ケース部内には、前記吸湿材の前記一面が面し前記面方向へ空気を流す一面側通風空間（１４ｂ）が形成されている請求項１または２に記載の調湿装置。
【請求項４】
前記吸湿材ケース部内には、前記吸湿材の前記他面が面し前記面方向へ空気を流す他面側通風空間（１４ｃ）が形成されている請求項１ないし３のいずれか１つに記載の調湿装置。
【請求項５】
前記吸湿材に吸湿させるための空気は、前記第１通風口から前記第３通風口へ流れ、
前記吸湿材から放湿させるための空気は、前記第２通風口から前記第４通風口へ流れる請求項１ないし４のいずれか１つに記載の調湿装置。
【発明の詳細な説明】
【技術分野】
【０００１】
本発明は、空気を調湿する調湿装置に関するものである。
【背景技術】
【０００２】
この種の調湿装置として、例えば特許文献１に記載された車両用空調装置に含まれる加湿装置が従来から知られている。この加湿装置は、水分を吸着し又は脱離する吸着材と、その吸着材を収容する吸着ケースとを備えている。そして、加湿装置は、その吸着材から脱離した水分により加湿された加湿空気を車室内へ導出する。なお、吸着材が水分を吸着することとは、言い換えれば吸着材が空気から吸湿することであり、吸着材が水分を脱離することとは、言い換えれば吸着材が空気へ放湿することである。
【０００３】
吸着ケースは、吸着材に水分を吸着させるための空気としての冷風を吸着ケース内に導入する冷風吸入部と、その冷風を吸着ケース内から排出する冷風排出部とを有している。その冷風吸入部は、吸着材の一面側に配置され、その吸着材の一面に対向するように開口している。冷風排出部は、吸着材の一面側とは反対側の他面側に配置され、その吸着材の他面に対向するように開口している。そして、冷風排出部は吸着材を挟んで冷風吸入部に対し対向するように開口しているので、その冷風吸入部から吸着材を介して冷風排出部へ流れる空気流れは直線状になる。
【０００４】
また、吸着ケースは、吸着材から水分を脱離させるための空気としての暖風を吸着ケース内に導入する暖風吸入部と、その暖風を吸着ケース内から排出する暖風排出部とを有している。その暖風吸入部は、吸着材の一面側に配置され、その吸着材の一面に対向するように開口している。暖風排出部は、吸着材の他面側に配置され、その吸着材の他面に対向するように開口している。そして、暖風排出部は吸着材を挟んで暖風吸入部に対し対向するように開口しているので、その暖風吸入部から吸着材を介して暖風排出部へ流れる空気流れも直線状になる。
【先行技術文献】
【特許文献】
【０００５】
【特許文献１】国際公開第２０１６／１４７８１９号
【発明の概要】
【発明が解決しようとする課題】
【０００６】
特許文献１の加湿装置では、冷風も暖風も吸湿材の一部分を一面側から他面側へ直線状に流れるので、吸湿材の一部分でしか、空気からの吸湿および空気への放湿を行わせることができない。例えば、吸湿時と放湿時とのそれぞれで、吸湿材うちの半分程度にしか冷風と暖風とを通すことができず、吸湿材の効果が十分に発揮されないということが想定された。このように吸湿材の一部分しか吸湿および放湿に活用されないとすると、例えば必要な放湿能力および吸湿能力を得るために、吸湿材の体格を非常に大きくする必要がある。発明者らの詳細な検討の結果、以上のようなことが見出された。
【０００７】
本発明は上記点に鑑みて、吸湿材に吸湿させるための空気と、吸湿材から放湿させるための空気とを、それぞれ吸湿材のうちの広範囲にわたって行き渡らせることが可能な調湿装置を提供することを目的とする。
【課題を解決するための手段】
【０００８】
上記目的を達成するため、請求項１に記載の調湿装置は、
空気へ放湿し又は空気から吸湿し、一面（１２１）とその一面とは反対側の他面（１２２）とを有する吸湿材（１２）と、
吸湿材が収容された吸湿材ケース部（１４）と、
吸湿材の一面側にて吸湿材ケース部内へ開口した第１通風口（１６１ａ、５０１ａ）が形成された第１通風部（１６、５０）と、
吸湿材の一面側にて吸湿材ケース部内へ開口した第２通風口（１８１ａ、５０１ａ）が形成された第２通風部（１８、５０）と、
吸湿材の他面側にて吸湿材ケース部内へ開口した第３通風口（２０１ａ、５２１ａ）が形成された第３通風部（２０、５２）と、
吸湿材の他面側にて吸湿材ケース部内へ開口した第４通風口（２２１ａ、５２１ａ）が形成された第４通風部（２２、５２）とを備え、
第３通風口は、第１通風口の開口位置から、一面または他面に沿った面方向（ＤＲｆ）へずれた位置に配置され、
第４通風口は、第２通風口の開口位置から面方向へずれた位置に配置され、
吸湿材に吸湿させるための空気は、第１通風口と第３通風口とのうちの一方から他方へ流れ、
吸湿材から放湿させるための空気は、第２通風口と第４通風口とのうちの一方から他方へ流れる。
【０００９】
上述のように、吸湿材に吸湿させるための空気は、第１通風口と第３通風口とのうちの一方から他方へ流れ、吸湿材から放湿させるための空気は、第２通風口と第４通風口とのうちの一方から他方へ流れる。そして、第３通風口は、第１通風口の開口位置から上記面方向へずれた位置に配置され、第４通風口は、第２通風口の開口位置から上記面方向へずれた位置に配置される。従って、吸湿材に吸湿させるための空気と吸湿材から放湿させるための空気とがそれぞれ、吸湿材が収容された吸湿材ケース部内で屈曲した空気流れになる。そのため、吸湿材に吸湿させるための空気と吸湿材から放湿させるための空気とが吸湿材の一部分を一面側から他面側へ直線状に流れる場合と比較して、その各々の空気を、吸湿材のうちの広範囲にわたって行き渡らせることが可能である。
【００１０】
なお、特許請求の範囲およびこの欄で記載した括弧内の各符号は、後述する実施形態に記載の具体的内容との対応関係を示す一例である。
【図面の簡単な説明】
【００１１】
【図１】第１実施形態において調湿装置の概略構成を断面図示した模式図である。
【図２】図１の調湿装置において、冷却器で冷却された冷風が吸湿材に通風される場合の空気流れを示した図である。
【図３】図１の調湿装置において、加熱器で加熱された暖風が吸湿材に通風される場合の空気流れを示した図である。
【図４】第１実施形態と対比される比較例の調湿装置において、冷風および暖風それぞれの空気流れを示した図である。
【図５】第２実施形態において調湿装置の概略構成を断面図示した模式図である。
【発明を実施するための形態】
【００１２】
以下、図面を参照しながら、各実施形態を説明する。なお、以下の各実施形態相互において、互いに同一もしくは均等である部分には、図中、同一符号を付してある。
【００１３】
（第１実施形態）
本実施形態の調湿装置１０は、車両に搭載され、加湿した空気を乗員へ吹き出す加湿器として使用される。図１に示すように、調湿装置１０は、吸湿材１２と吸湿材ケース部１４と第１通風部１６と第２通風部１８と第３通風部２０と第４通風部２２と第１開閉装置２６と第２開閉装置２８と第３開閉装置３０と第４開閉装置３２とを備えている。
【００１４】
吸湿材１２は、吸湿材１２を通過する空気の相対湿度に応じて、その空気から吸湿し又はその空気へ放湿する。例えば、吸湿材１２は、空気の相対湿度に応じて空気中の水分を回収し或いは空気中へ水分を脱離させたりする特性を有する吸湿物質が担持された波板状の基材をロール状または直方体形状にしたものである。その吸湿物質としては、例えば、有機系材料の高分子吸着材、または、無機系材料のゼオライト、シリカゲルなどを採用することができる。
【００１５】
吸湿材１２の内部を通過する空気の相対湿度が或る程度高い場合には、吸湿物質が水分を吸着するので、吸湿材１２は、その通過する空気から吸湿する。逆に、吸湿材１２の内部を通過する空気の相対湿度が或る程度低い場合には、吸湿物質から水分が脱離するので、吸湿材１２は、その通過する空気へ放湿する。
【００１６】
吸湿材１２は、吸湿材１２の一面としての空気流入面１２１と、その空気流入面１２１とは反対側の他面としての空気流出面１２２とを有している。空気流入面１２１から吸湿材１２の内部へ流入した空気は、吸湿材１２の内部に形成され吸湿物質が分散された構造体の隙間を図２の矢印ＡＲｄのように流れる。そして、その吸湿材１２の内部に形成された構造体の隙間を通過した空気は、空気流出面１２２から吸湿材１２の外へ流出する。
【００１７】
図１に示すように、吸湿材１２の空気流入面１２１と空気流出面１２２は互いに平行な平面状に形成されている。その空気流入面１２１または空気流出面１２２に沿った面方向を、吸湿材面方向ＤＲｆと呼ぶものとする。
【００１８】
吸湿材ケース部１４は、内部空間１４ａが形成された容器であり、その内部空間１４ａに吸湿材１２は配置されている。要するに、吸湿材１２は、吸湿材ケース部１４内に収容されている。
【００１９】
第１通風部１６の内部には、空気が流れる第１空気通路１６１が形成されている。この第１空気通路１６１は、第１空気通路１６１の開口端１６１ａとしての第１通風口１６１ａを有している。すなわち、第１通風部１６には、第１通風口１６１ａが形成されている。
【００２０】
そして、第１空気通路１６１は、第１通風口１６１ａにて吸湿材ケース部１４内へ接続されている。その第１通風口１６１ａは、吸湿材１２の空気流入面１２１側にて、吸湿材ケース部１４内へ開口している。詳細には、第１通風口１６１ａは、吸湿材１２の空気流入面１２１に対向するように開口している。
【００２１】
第１空気通路１６１の空気流れ上流側には、空気を冷却する冷却器４０が設けられている。従って、第１空気通路１６１には、図１の矢印ＡＣ１のように通風されることで、冷却器４０により冷却された冷風が導入可能となっている。このようなことから、第１通風部１６を冷風流入部と呼び、第１空気通路１６１を冷風流入通路と呼び、第１通風口１６１ａを冷風流入口と呼んでもよい。
【００２２】
また、冷却器４０は、例えば、空気と冷媒との熱交換により冷媒を蒸発させると共に空気を冷却するエバポレータである。従って、第１空気通路１６１は、車両用空調ユニットのエバポレータから流出した冷風が導入される空気通路であってもよい。
【００２３】
また、冷却器４０によって冷却された冷風は、その冷却器４０の冷却により、吸湿材１２に吸湿させるのに十分な高湿度にまで相対湿度が高められた空気となっている。すなわち、冷却器４０からの冷風は、吸湿材１２に吸湿させるための空気である。
【００２４】
第２通風部１８の内部には、空気が流れる第２空気通路１８１が形成されている。この第２空気通路１８１は、第２空気通路１８１の開口端１８１ａとしての第２通風口１８１ａを有している。すなわち、第２通風部１８には、第２通風口１８１ａが形成されている。
【００２５】
そして、第２空気通路１８１は、第２通風口１８１ａにて吸湿材ケース部１４内へ接続されている。その第２通風口１８１ａは、吸湿材１２の空気流入面１２１側にて、吸湿材ケース部１４内へ開口している。詳細には、第２通風口１８１ａは、吸湿材１２の空気流入面１２１に対向するように開口している。
【００２６】
また、第２通風口１８１ａは、第１通風口１６１ａに対し吸湿材面方向ＤＲｆの一方側に配置されている。具体的には、吸湿材１２の空気流入面１２１は、吸湿材面方向ＤＲｆの一方側の端に一端部１２１ａを有し、吸湿材面方向ＤＲｆの他方側の端に他端部１２１ｂを有している。そして、第１通風口１６１ａは、空気流入面１２１の他端部１２１ｂ周りにて開口し、第２通風口１８１ａは、空気流入面１２１の一端部１２１ａ周りにて開口している。
【００２７】
第２空気通路１８１の空気流れ上流側には、空気を加熱する加熱器４２が設けられている。従って、第２空気通路１８１には、図１の矢印ＡＨ１のように通風されることで、加熱器４２により加熱された暖風が導入可能となっている。このようなことから、第２通風部１８を暖風流入部と呼び、第２空気通路１８１を暖風流入通路と呼び、第２通風口１８１ａを暖風流入口と呼んでもよい。
【００２８】
また、加熱器４２は、例えば、エンジン冷却水の熱で空気を加熱する熱交換器すなわちヒータコアである。従って、第２空気通路１８１は、車両用空調ユニットのヒータコアから流出した暖風が導入される空気通路であってもよい。
【００２９】
また、加熱器４２によって加熱された暖風は、その加熱器４２の加熱により、吸湿材１２から放湿させるのに十分な低湿度にまで相対湿度が低下した空気となっている。すなわち、加熱器４２からの暖風の相対湿度は、上記の冷却器４０からの冷風の相対湿度よりも低く、加熱器４２からの暖風は、吸湿材１２から放湿させるための空気である。
【００３０】
第３通風部２０の内部には、空気が流れる第３空気通路２０１が形成されている。この第３空気通路２０１は、第３空気通路２０１の開口端２０１ａとしての第３通風口２０１ａを有している。すなわち、第３通風部２０には、第３通風口２０１ａが形成されている。
【００３１】
そして、第３空気通路２０１は、第３通風口２０１ａにて吸湿材ケース部１４内へ接続されている。その第３通風口２０１ａは、吸湿材１２の空気流出面１２２側にて、吸湿材ケース部１４内へ開口している。詳細には、第３通風口２０１ａは、吸湿材１２の空気流出面１２２に対向するように開口している。
【００３２】
この第３空気通路２０１には吸湿材ケース部１４内から空気が流入し、第３空気通路２０１を通った空気は、乗員に対し影響しない所定の排気場所に排気される。例えば、第３空気通路２０１を通った空気は、インストルメントパネルの内側などに流出する。
【００３３】
第４通風部２２の内部には、空気が流れる第４空気通路２２１が形成されている。この第４空気通路２２１は、第４空気通路２２１の開口端２２１ａとしての第４通風口２２１ａを有している。すなわち、第４通風部２２には、第４通風口２２１ａが形成されている。
【００３４】
そして、第４空気通路２２１は、第４通風口２２１ａにて吸湿材ケース部１４内へ接続されている。その第４通風口２２１ａは、吸湿材１２の空気流出面１２２側にて、吸湿材ケース部１４内へ開口している。詳細には、第４通風口２２１ａは、吸湿材１２の空気流出面１２２に対向するように開口している。
【００３５】
この第４空気通路２２１には吸湿材ケース部１４内から空気が流入し、第４空気通路２２１を通った空気は所定の吹出場所へ吹き出される。具体的には、その第４空気通路２２１を通った空気は、乗員に向けて吹き出される。
【００３６】
また、第３通風口２０１ａは、第４通風口２２１ａに対し吸湿材面方向ＤＲｆの一方側に配置されている。具体的には、吸湿材１２の空気流出面１２２は、吸湿材面方向ＤＲｆの一方側の端に一端部１２２ａを有し、吸湿材面方向ＤＲｆの他方側の端に他端部１２２ｂを有している。そして、第４通風口２２１ａは、空気流出面１２２の他端部１２２ｂ周りにて開口し、第３通風口２０１ａは、空気流出面１２２の一端部１２２ａ周りにて開口している。
【００３７】
このように第１〜第４通風口１６１ａ、１８１ａ、２０１ａ、２２１ａが配置されているので、第３通風口２０１ａは、第１通風口１６１ａの開口位置から、吸湿材面方向ＤＲｆへずれた位置に配置されている。そして、第４通風口２２１ａは、第２通風口１８１ａの開口位置から吸湿材面方向ＤＲｆへずれた位置に配置されている。
【００３８】
吸湿材ケース部１４内には、吸湿材１２の空気流入面１２１側に配置され空気流入面１２１が面する一面側通風空間１４ｂが、吸湿材ケース部１４の内部空間１４ａの一部として形成されている。この一面側通風空間１４ｂの空気は、吸湿材面方向ＤＲｆへ流れつつ吸湿材１２へ流入する。要するに、一面側通風空間１４ｂは、吸湿材１２へ空気を分散させつつ吸湿材面方向ＤＲｆへ空気を流す空気通路として機能する。
【００３９】
また、一面側通風空間１４ｂは、第１通風口１６１ａと吸湿材１２の空気流入面１２１との間にまで延設され、第２通風口１８１ａと吸湿材１２の空気流入面１２１との間にまで延設されている。従って、第１通風口１６１ａおよび第２通風口１８１ａはそれぞれ、空気流入面１２１に対し一面側通風空間１４ｂを挟んで対向している。
【００４０】
吸湿材１２の空気流出面１２２側も、これと同様になっている。すなわち、吸湿材ケース部１４内には、吸湿材１２の空気流出面１２２側に配置され空気流出面１２２が面する他面側通風空間１４ｃが、吸湿材ケース部１４の内部空間１４ａの一部として形成されている。この他面側通風空間１４ｃには吸湿材１２から空気が流入しつつ、他面側通風空間１４ｃの空気は吸湿材面方向ＤＲｆへ流れる。要するに、他面側通風空間１４ｃは、吸湿材１２からの空気を集合させつつ吸湿材面方向ＤＲｆへ空気を流す空気通路として機能する。
【００４１】
また、他面側通風空間１４ｃは、第３通風口２０１ａと吸湿材１２の空気流出面１２２との間にまで延設され、第４通風口２２１ａと吸湿材１２の空気流出面１２２との間にまで延設されている。従って、第３通風口２０１ａおよび第４通風口２２１ａはそれぞれ、空気流出面１２２に対し他面側通風空間１４ｃを挟んで対向している。
【００４２】
第１〜第４開閉装置２６、２８、３０、３２はそれぞれ、電動のアクチュエータによって開閉作動する回動ドアである。これらの第１〜第４開閉装置２６、２８、３０、３２は、本実施形態では回動ドアであるが、空気通路の開閉を行うことが可能な機構を備えていれば、回動ドアである必要はない。
【００４３】
第１開閉装置２６は第１空気通路１６１に設けられ、その第１空気通路１６１を開閉する。第１開閉装置２６は第１空気通路１６１を開閉することにより、第１通風口１６１ａを開閉する。
【００４４】
第２開閉装置２８は第２空気通路１８１に設けられ、その第２空気通路１８１を開閉する。第２開閉装置２８は第２空気通路１８１を開閉することにより、第２通風口１８１ａを開閉する。
【００４５】
第３開閉装置３０は第３空気通路２０１に設けられ、その第３空気通路２０１を開閉する。第３開閉装置３０は第３空気通路２０１を開閉することにより、第３通風口２０１ａを開閉する。
【００４６】
第４開閉装置３２は第４空気通路２２１に設けられ、その第４空気通路２２１を開閉する。第４開閉装置３２は第４空気通路２２１を開閉することにより、第４通風口２２１ａを開閉する。
【００４７】
また、第１〜第４開閉装置２６、２８、３０、３２は互いに連動して開閉作動する。具体的には、第１開閉装置２６が第１空気通路１６１を開放するときには第３開閉装置３０は第３空気通路２０１を開放する。逆に、第１開閉装置２６が第１空気通路１６１を塞ぐときには第３開閉装置３０は第３空気通路２０１を塞ぐ。
【００４８】
そして、第２開閉装置２８が第２空気通路１８１を開放するときには第４開閉装置３２は第４空気通路２２１を開放する。逆に、第２開閉装置２８が第２空気通路１８１を塞ぐときには第４開閉装置３２は第４空気通路２２１を塞ぐ。
【００４９】
更に、第１および第３開閉装置２６、３０の開閉は、第２および第４開閉装置２８、３２の開閉に対して逆になる。すなわち、第１開閉装置２６が第１空気通路１６１を開放し且つ第３開閉装置３０が第３空気通路２０１を開放するときには、第２開閉装置２８は第２空気通路１８１を塞ぎ且つ第４開閉装置３２は第４空気通路２２１を塞ぐ。逆に、第１開閉装置２６が第１空気通路１６１を塞ぎ且つ第３開閉装置３０が第３空気通路２０１を塞ぐときには、第２開閉装置２８は第２空気通路１８１を開放し且つ第４開閉装置３２は第４空気通路２２１を開放する。これにより、冷却器４０からの冷風は、加熱器４２からの暖風と同時に吸湿材１２に流通することがない。
【００５０】
例えば、冷却器４０からの冷風を吸湿材１２に流通させる際には、図２に示すように各開閉装置２６、２８、３０、３２が作動させられる。すなわち、図２に示すように、第１開閉装置２６および第３開閉装置３０は開かれ、第２開閉装置２８および第４開閉装置３２は閉じられる。そして、冷却器４０からの冷風が第１空気通路１６１へ導入される。これにより、その冷風は、第１通風口１６１ａから吸湿材１２を介して第３通風口２０１ａへ流れる。
【００５１】
詳述すると、その冷風は、矢印ＡＣ２にように、第１通風口１６１ａから吸湿材ケース部１４の一面側通風空間１４ｂへ流入する。その一面側通風空間１４ｂへ流入した冷風は、一面側通風空間１４ｂ内を矢印ＡＣ３のように吸湿材面方向ＤＲｆの他方側から一方側へ流れ、それと共に、空気流入面１２１から吸湿材１２の内部へ流入する。
【００５２】
その吸湿材１２の内部へ流入した冷風は、矢印ＡＲｄのように空気流入面１２１側から空気流出面１２２側へ吸湿材１２の内部を流れる。その際、吸湿材１２は、その冷風から吸湿する。例えば、吸湿材１２には、空気流入面１２１から空気流出面１２２へ延びる微細な空気通路が並列に多数形成されているので、吸湿材１２内において冷風は、吸湿材面方向ＤＲｆに直交または略直交する方向へ流れる。
【００５３】
吸湿材１２の内部を流れた冷風は、空気流出面１２２から他面側通風空間１４ｃへ流入し、他面側通風空間１４ｃにおいてその冷風は、他面側通風空間１４ｃ内を矢印ＡＣ４のように吸湿材面方向ＤＲｆの他方側から一方側へ流れる。そして、他面側通風空間１４ｃの冷風は、他面側通風空間１４ｃから第３通風口２０１ａを介して第３空気通路２０１へ流入し、第３空気通路２０１から所定の排気場所へ流れる。
【００５４】
このようにして第３空気通路２０１には冷却器４０からの冷風が流通するので、第３空気通路２０１を冷風流出通路と呼んでもよい。そして、第３通風部２０を冷風流出部と呼び、第３通風口２０１ａを冷風流出口と呼んでもよい。
【００５５】
なお、本実施形態の調湿装置１０は加湿器として使用されるものであるので、加熱器４２からの暖風が吸湿材１２に流通ていないときに、適宜、必要に応じて冷却器４０からの冷風が吸湿材１２に供給され、それにより吸湿材１２はその冷風から吸湿する。
【００５６】
また、加熱器４２からの暖風を吸湿材１２に流通させる際には、図３に示すように各開閉装置２６、２８、３０、３２が作動させられる。すなわち、図３に示すように、第１開閉装置２６および第３開閉装置３０は閉じられ、第２開閉装置２８および第４開閉装置３２は開かれる。そして、加熱器４２からの暖風が第２空気通路１８１へ導入される。これにより、その暖風は、第２通風口１８１ａから吸湿材１２を介して第４通風口２２１ａへ流れる。
【００５７】
すなわち、その暖風は、吸湿材１２に対し、上述した冷風とは吸湿材面方向ＤＲｆの逆側に導入され、且つ、その冷風とは吸湿材面方向ＤＲｆの逆側から導出される。
【００５８】
詳述すると、その暖風は、矢印ＡＨ２にように、第２通風口１８１ａから吸湿材ケース部１４の一面側通風空間１４ｂへ流入する。その一面側通風空間１４ｂへ流入した暖風は、一面側通風空間１４ｂ内を矢印ＡＨ３のように吸湿材面方向ＤＲｆの一方側から他方側へ流れ、それと共に、空気流入面１２１から吸湿材１２の内部へ流入する。
【００５９】
その吸湿材１２の内部へ流入した暖風は、矢印ＡＲｄのように空気流入面１２１側から空気流出面１２２側へ吸湿材１２の内部を流れる。例えば、吸湿材１２内において暖風は、上述した冷風と同様に、吸湿材面方向ＤＲｆに直交または略直交する方向へ流れる。そして、暖風が吸湿材１２の内部を流れる際に、吸湿材１２は、その暖風へ放湿する。具体的には、吸湿材１２において、冷風から前もって吸湿物質に吸着されていた水分が脱離し、その脱離した水分がその暖風へ放散される。
【００６０】
吸湿材１２の内部を流れた暖風は、空気流出面１２２から他面側通風空間１４ｃへ流入し、他面側通風空間１４ｃにおいてその暖風は、他面側通風空間１４ｃ内を矢印ＡＨ４のように吸湿材面方向ＤＲｆの一方側から他方側へ流れる。そして、他面側通風空間１４ｃの暖風は、他面側通風空間１４ｃから第４通風口２２１ａを介して第４空気通路２２１へ流入し、第４空気通路２２１から、例えば乗員周りの空間である所定の吹出場所へ流れる。
【００６１】
このようにして第４空気通路２２１には加熱器４２からの暖風が流通するので、第４空気通路２２１を暖風流出通路と呼んでもよい。そして、第４通風部２２を暖風流出部と呼び、第４通風口２２１ａを暖風流出口と呼んでもよい。
【００６２】
上述したように、本実施形態によれば、図２および図３に示すように、冷却器４０からの冷風は、第１通風口１６１ａから吸湿材１２を介して第３通風口２０１ａへ流れる。その一方で、加熱器４２からの暖風は、第２通風口１８１ａから吸湿材１２を介して第４通風口２２１ａへ流れる。そして、第３通風口２０１ａは、第１通風口１６１ａの開口位置から吸湿材面方向ＤＲｆへずれた位置に配置され、第４通風口２２１ａは、第２通風口１８１ａの開口位置から吸湿材面方向ＤＲｆへずれた位置に配置されている。従って、冷風および暖風がそれぞれ、吸湿材１２が収容された吸湿材ケース部１４の内部空間１４ａで屈曲した空気流れになる。
【００６３】
そのため、冷却器４０からの冷風と加熱器４２からの暖風とが吸湿材１２の一部分を空気流入面１２１側から空気流出面１２２側へ直線状に流れる図４の比較例と比較して、その冷風と暖風とをそれぞれ、吸湿材１２のうちの広範囲にわたって行き渡らせることが可能である。例えば、その冷風と暖風とをそれぞれ、吸湿材１２の略全体にわたって行き渡らせることが可能である。
【００６４】
これにより、吸湿材１２全体で吸湿作用と放湿作用とを発揮させることが可能である。そのため、図４の比較例の調湿装置９０と比較して、本実施形態の調湿装置１０では、吸湿材１２の吸湿性能と放湿性能との向上を図ることが可能である。また、その比較例の調湿装置９０と同等の性能を得ることを前提とすれば、本実施形態の調湿装置１０では吸湿材１２の小型化を図ることが可能である。なお、図４において破線矢印は冷却器４０からの冷風の風流れを示し、実線矢印は加熱器４２からの暖風の風流れを示している。
【００６５】
また、本実施形態によれば、図１に示すように、第２通風口１８１ａは、第１通風口１６１ａに対し吸湿材面方向ＤＲｆの一方側に配置され、第３通風口２０１ａは、第４通風口２２１ａに対し吸湿材面方向ＤＲｆの一方側に配置されている。従って、第１〜第４通風口１６１ａ、１８１ａ、２０１ａ、２２１ａをそれぞれ独立して形成すると共に、冷却器４０からの冷風と加熱器４２からの暖風とを吸湿材１２のうちの広範囲にわたって行き渡らせることが可能である。
【００６６】
また、本実施形態によれば、図２および図３に示すように、吸湿材ケース部１４内には、吸湿材１２の空気流入面１２１が面し吸湿材面方向ＤＲｆへ空気を流す一面側通風空間１４ｂが形成されている。従って、空気流入面１２１側から吸湿材１２に流入する空気を一面側通風空間１４ｂで予め広範囲に分散させることが可能である。
【００６７】
また、本実施形態によれば、吸湿材ケース部１４内には、吸湿材１２の空気流出面１２２が面し吸湿材面方向ＤＲｆへ空気を流す他面側通風空間１４ｃが形成されている。従って、吸湿材１２から空気流出面１２２側へ流出する空気を吸湿材１２からの流出後に他面側通風空間１４ｃで集合させることが可能である。
【００６８】
また、冷却器４０からの冷風は、第１通風口１６１ａから第３通風口２０１ａへ流れ、加熱器４２からの暖風は、第２通風口１８１ａから第４通風口２２１ａへ流れる。従って、吸湿材１２の両側のうち、空気流入面１２１側を空気の流入側とし、且つ空気流出面１２２側を空気の流出側とすることが可能である。
【００６９】
（第２実施形態）
次に、第２実施形態について説明する。本実施形態では、前述の第１実施形態と異なる点を主として説明する。また、前述の実施形態と同一または均等な部分については省略または簡略化して説明する。
【００７０】
本実施形態では、図１の第１通風口１６１ａと第２通風口１８１ａとが、共通の連通口である図５の一面側通風口５０１ａとして統合されている。そして、図１の第３通風口２０１ａと第４通風口２２１ａとが、共通の連通口である図５の他面側通風口５２１ａとして統合されている。この点において、本実施形態は第１実施形態と異なっている。
【００７１】
具体的には、図５に示すように、本実施形態の調湿装置１０は、第１実施形態の第１および第２通風部１６、１８に替えて一面側通風部５０を備え、第１実施形態の第３および第４通風部２０、２２に替えて他面側通風部５２を備えている。そして、本実施形態の調湿装置１０は、第１実施形態の第１〜第４開閉装置２６、２８、３０、３２に替えて、例えば回動ドアとして構成された一面側通風切替装置５４と他面側通風切替装置５６とを備えている。
【００７２】
一面側通風部５０は、吸湿材１２の一面１２１側である空気流入面１２１側に設けられ、その一面側通風部５０の内部には、空気が流れる一面側空気通路５０１が形成されている。この一面側空気通路５０１は、一面側空気通路５０１の開口端５０１ａとしての一面側通風口５０１ａを有している。そして、一面側通風口５０１ａは、第１および第２通風口１６１ａ、１８１ａと同様に、吸湿材１２の空気流入面１２１側にて吸湿材ケース部１４内へ開口している。
【００７３】
他面側通風部５２は、吸湿材１２の他面１２２側である空気流出面１２２側に設けられ、その他面側通風部５２の内部には、空気が流れる他面側空気通路５２１が形成されている。この他面側空気通路５２１は、他面側空気通路５２１の開口端５２１ａとしての他面側通風口５２１ａを有している。そして、他面側通風口５２１ａは、第３および第４通風口２０１ａ、２２１ａと同様に、吸湿材１２の他面１２２側である空気流出面１２２側にて吸湿材ケース部１４内へ開口している。
【００７４】
また、一面側通風口５０１ａは、空気流入面１２１の他端部１２１ｂ周りにて開口し、他面側通風口５２１ａは、空気流出面１２２の一端部１２２ａ周りにて開口している。要するに、他面側通風口５２１ａは、一面側通風口５０１ａの開口位置から、吸湿材面方向ＤＲｆへずれた位置に配置されている。
【００７５】
両通風口５０１ａ、５２１ａがこのように配置されているので、一面側空気通路５０１の空気は、矢印Ｂ２、Ｂ３、ＡＲｄ、Ｂ４、Ｂ５にように、一面側通風口５０１ａから吸湿材１２を介して他面側通風口５２１ａへと流れる。この矢印Ｂ２、Ｂ３、ＡＲｄ、Ｂ４、Ｂ５が示す空気流れの向きは、図２の矢印ＡＣ２、ＡＣ３、ＡＲｄ、ＡＣ４、ＡＣ５が示す空気流れの向きと同様である。
【００７６】
一面側通風切替装置５４は、冷却器４０の空気流出側と加熱器４２の空気流出側とを択一的に、一面側空気通路５０１の空気流れ上流側へ接続する。
【００７７】
例えば、一面側通風切替装置５４が冷却器４０の空気流出側を一面側空気通路５０１の空気流れ上流側に接続した場合には、その一面側空気通路５０１には冷却器４０からの冷風が流入し、加熱器４２からの暖風は流入しない。従って、この場合、一面側空気通路５０１は第１実施形態の第１空気通路１６１に相当し、一面側通風口５０１ａは第１実施形態の第１通風口１６１ａに相当し、一面側通風部５０は第１実施形態の第１通風部１６に相当する。
【００７８】
その一方で、一面側通風切替装置５４が加熱器４２の空気流出側を一面側空気通路５０１の空気流れ上流側に接続した場合には、その一面側空気通路５０１には加熱器４２からの暖風が流入し、冷却器４０からの冷風は流入しない。従って、この場合、一面側空気通路５０１は第１実施形態の第２空気通路１８１に相当し、一面側通風口５０１ａは第１実施形態の第２通風口１８１ａに相当し、一面側通風部５０は第１実施形態の第２通風部１８に相当する。
【００７９】
また、他面側通風切替装置５６は、他面側通風口５２１ａ側とは反対側である他面側空気通路５２１の空気流れ下流側を、所定の排気場所へ空気を導出する排気通路５８と、所定の吹出場所へ空気を導出する吹出通路５９とに択一的に接続する。
【００８０】
別言すれば、他面側通風切替装置５６は、他面側空気通路５２１の空気流れ下流側を排気通路５８へ接続するときには、他面側空気通路５２１の空気流れ下流側と吹出通路５９との間の接続を遮断する。逆に、他面側通風切替装置５６は、他面側空気通路５２１の空気流れ下流側を吹出通路５９へ接続するときには、他面側空気通路５２１の空気流れ下流側と排気通路５８との間の接続を遮断する。
【００８１】
そして、他面側通風切替装置５６は一面側通風切替装置５４と連動している。詳細には、一面側通風切替装置５４が冷却器４０の空気流出側を一面側空気通路５０１の空気流れ上流側に接続するときには、他面側通風切替装置５６は、他面側空気通路５２１の空気流れ下流側を排気通路５８に接続する。逆に、一面側通風切替装置５４が加熱器４２の空気流出側を一面側空気通路５０１の空気流れ上流側に接続するときには、他面側通風切替装置５６は、他面側空気通路５２１の空気流れ下流側を吹出通路５９に接続する。
【００８２】
このように他面側通風切替装置５６が作動するので、例えば、その他面側通風切替装置５６が他面側空気通路５２１の空気流れ下流側を排気通路５８に接続した場合には、その他面側空気通路５２１には、冷却器４０から吸湿材１２を経た冷風が流入する。従って、この場合、他面側空気通路５２１は第１実施形態の第３空気通路２０１に相当し、他面側通風口５２１ａは第１実施形態の第３通風口２０１ａに相当し、他面側通風部５２は第１実施形態の第３通風部２０に相当する。
【００８３】
逆に、他面側通風切替装置５６が他面側空気通路５２１の空気流れ下流側を吹出通路５９に接続した場合には、その他面側空気通路５２１には、加熱器４２から吸湿材１２を経た暖風が流入する。従って、この場合、他面側空気通路５２１は第１実施形態の第４空気通路２２１に相当し、他面側通風口５２１ａは第１実施形態の第４通風口２２１ａに相当し、他面側通風部５２は第１実施形態の第４通風部２２に相当する。
【００８４】
以上説明したことを除き、本実施形態は第１実施形態と同様である。そして、本実施形態では、前述の第１実施形態と共通の構成から奏される効果を第１実施形態と同様に得ることができる。
【００８５】
（他の実施形態）
（１）上述の各実施形態において、調湿装置１０は車両用の装置であるが、車両以外に用いられても差し支えない。
【００８６】
（２）上述の各実施形態において、調湿装置１０は、加湿した空気を乗員へ吹き出す加湿器として使用されるが、これは一例である。例えば、調湿装置１０は、除湿した空気を乗員へ吹き出す除湿器として使用されても差し支えない。そのように調湿装置１０が除湿器として使用される場合には、例えば、吸湿材１２を通過した冷風が乗員へ吹き出れ、吸湿材１２を通過した暖風が排気される。
【００８７】
更に言えば、調湿装置１０は、加湿器と除湿器との両方の機能を併せ持っていても差し支えない。
【００８８】
（３）上述の各実施形態において、吸湿材１２は、例えば、吸湿物質が担持された波板状の基材をロール状または直方体形状にしたものであるが、これ以外の構造も種々考えられる。例えば、吸湿材１２は、円柱状または直方体形状に形成されたハニカム状の構造体に吸湿物質が担持されたものであってもよい。
【００８９】
（４）上述の各実施形態では図１に示すように、吸湿材１２の空気流入面１２１と空気流出面１２２は互いに平行な平面状に形成されているが、これは一例である。例えば、空気流入面１２１と空気流出面１２２は互いに平行でなくてよいし、それぞれ湾曲した面であってもよい。
【００９０】
（５）上述の各実施形態では図２に示すように、冷却器４０からの冷風は、第１通風口１６１ａから吸湿材１２を介して第３通風口２０１ａへ流れるが、逆に、第３通風口２０１ａから吸湿材１２を介して第１通風口１６１ａへ流れても差し支えない。要するに、その冷風は、第１通風口１６１ａと第３通風口２０１ａとのうちの一方から他方へ流れればよい。
【００９１】
そのように冷風が第３通風口２０１ａから第１通風口１６１ａへ流れる場合には、その冷風に関しては、吸湿材１２の一面１２１が空気流出面になり、吸湿材１２の他面１２２が空気流入面になる。
【００９２】
（６）上述の各実施形態では図３に示すように、加熱器４２からの暖風は、第２通風口１８１ａから吸湿材１２を介して第４通風口２２１ａへ流れるが、逆に、第４通風口２２１ａから吸湿材１２を介して第２通風口１８１ａへ流れても差し支えない。要するに、その暖風は、第２通風口１８１ａと第４通風口２２１ａとのうちの一方から他方へ流れればよい。
【００９３】
そのように暖風が第４通風口２２１ａから第２通風口１８１ａへ流れる場合には、その暖風に関しては、吸湿材１２の一面１２１が空気流出面になり、吸湿材１２の他面１２２が空気流入面になる。なお、上記冷風と暖風とのうちの一方が吸湿材１２の内部を一面１２１側から他面１２２側へ流れ、その冷風と暖風とのうちの他方が吸湿材１２の内部を他面１２２側から一面１２１側へ流れても差し支えない。
【００９４】
（７）上述の各実施形態では、図２および図３の矢印ＡＲｄのように、吸湿材１２の内部を流通する空気は、吸湿材面方向ＤＲｆに直交または略直交する方向へ流れるが、これは一例である。例えば、吸湿材１２は、吸湿材１２の内部を流通する空気の流れ方向を制限しないように構成されていてもよい。
【００９５】
（８）なお、本発明は、上述の実施形態に限定されることなく、種々変形して実施することができる。また、上記各実施形態において、実施形態を構成する要素は、特に必須であると明示した場合および原理的に明らかに必須であると考えられる場合等を除き、必ずしも必須のものではないことは言うまでもない。
【００９６】
また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【００９７】
（まとめ）
上記各実施形態の一部または全部で示された第１の観点によれば、第３通風口は、第１通風口の開口位置から、吸湿材の一面または他面に沿った面方向へずれた位置に配置され、第４通風口は、第２通風口の開口位置から上記面方向へずれた位置に配置される。また、吸湿材に吸湿させるための空気は、第１通風口と第３通風口とのうちの一方から他方へ流れ、吸湿材から放湿させるための空気は、第２通風口と第４通風口とのうちの一方から他方へ流れる。
【００９８】
また、第２の観点によれば、第２通風口は、第１通風口に対し上記面方向の一方側に配置され、第３通風口は、第４通風口に対し上記面方向の一方側に配置されている。従って、第１〜第４通風口をそれぞれ独立して形成すると共に、吸湿材に吸湿させるための空気と吸湿材から放湿させるための空気とを吸湿材のうちの広範囲にわたって行き渡らせることが可能である。
【００９９】
また、第３の観点によれば、吸湿材ケース部内には、吸湿材の一面が面し上記面方向へ空気を流す一面側通風空間が形成されている。従って、上記一面側から空気が吸湿材に流入する場合にはその空気を一面側通風空間で予め広範囲に分散させることが可能である。また、吸湿材から空気が上記一面側へ流出する場合にはその空気を吸湿材からの流出後に一面側通風空間で集合させることが可能である。
【０１００】
また、第４の観点によれば、吸湿材ケース部内には、吸湿材の他面が面し上記面方向へ空気を流す他面側通風空間が形成されている。従って、上記他面側から空気が吸湿材に流入する場合にはその空気を他面側通風空間で予め広範囲に分散させることが可能である。また、吸湿材から空気が上記他面側へ流出する場合にはその空気を吸湿材からの流出後に他面側通風空間で集合させることが可能である。
【０１０１】
また、第５の観点によれば、吸湿材に吸湿させるための空気は、第１通風口から第３通風口へ流れ、吸湿材から放湿させるための空気は、第２通風口から第４通風口へ流れる。従って、吸湿材の両側のうち、一面側を空気の流入側とし、且つ他面側を空気の流出側とすることが可能である。
【符号の説明】
【０１０２】
１０        調湿装置
１２        吸湿材
１４        吸湿材ケース部
１２１      空気流入面（一面）
１２２      空気流出面（他面）
１６１ａ    第１通風口
１８１ａ    第２通風口
２０１ａ    第３通風口
２２１ａ    第４通風口
ＤＲｆ      吸湿材面方向（面方向）
【図１】
2018162950.tif 000003
【図２】
2018162950.tif 000004
【図３】
2018162950.tif 000005
【図４】
2018162950.tif 000006
【図５】
2018162950.tif 000007